(57)【要約】【課題】自動原稿搬送装置の開閉動作を繰り返しても、電気ケーブルがダメージを受けるおそれを少なくする。【解決手段】複写機本体（画像形成装置本体）１０に対して自動原稿搬送装置１４が支軸１５を中心として開閉自在に設けられ、それらの画像形成装置本体と自動原稿搬送装置とが電気ケーブル２６で電気接続されている。そのような画像形成装置において、電気ケーブルが、自動原稿搬送装置から引き出される位置Ａと、複写機本体に接続される位置Ｂとが、支軸と直交する同一直線Ｎ上に設けられている。【選択図】図３
2008268712.tif 000002
【特許請求の範囲】
【請求項１】
画像形成装置本体に対して自動原稿搬送装置が支軸を中心として開閉自在に設けられ、それらの画像形成装置本体と自動原稿搬送装置とが電気ケーブルで電気接続される画像形成装置において、
前記電気ケーブルが、前記自動原稿搬送装置から引き出される位置と、前記画像形成装置本体に接続される位置とが、前記支軸と直交する同一直線上に設けられていることを特徴とする、画像形成装置。
【請求項２】
前記画像形成装置本体もしくは前記自動原稿搬送装置またはそれらの双方に、前記電気ケーブルを保持して、前記自動原稿搬送装置から引き出される位置と前記画像形成装置本体に接続される位置との間の電気ケーブルが前記同一直線上から外れることを規制する規制手段が備えられていることを特徴とする、請求項１に記載の画像形成装置。
【請求項３】
前記規制手段に、前記支軸と平行な軸線まわりに回転する回転体が前記電気ケーブルに接触するように設けられていることを特徴とする、請求項２に記載の画像形成装置。
【請求項４】
前記回転体が、両端の鍔部間に前記電気ケーブルを接触する鍔付きローラであることを特徴とする、請求項３に記載の画像形成装置。
【請求項５】
前記規制手段に、前記同一直線を通りかつ前記支軸と直交する面方向にたわむことができるばね性部材が設けられていることを特徴とする、請求項２ないし４のいずれか1に記載の画像形成装置。
【発明の詳細な説明】
【技術分野】
【０００１】
この発明は、複写機、ファクシミリ、またはそれらの複合機などの画像形成装置に関する。そのうち特に、複写機本体等の画像形成装置本体と、その画像形成装置本体に対して支軸を中心として開閉自在に設けられている自動原稿搬送装置と、それらを電気接続する電気ケーブルとが備えられている画像形成装置に関する。
【背景技術】
【０００２】
従来、例えば複写機では、複写機本体の上面にコンタクトガラスが備えられ、そのコンタクトガラスを被うように自動原稿搬送装置が取り付けられていた。自動原稿搬送装置は、複写機本体上に、支軸を中心として開閉自在に設けられ、複写機本体とは電気ケーブルを介して電気接続されていた。
【０００３】
例えば図８に示すように、複写機本体１には、制御装置（ＣＰＵ）２、メモリ３、電源装置４、安全スイッチ５などが備えられている。一方、自動原稿搬送装置６には、制御装置７、給紙ローラ８、レジストロ−ラ９などが備えられている。
【０００４】
ここで、複写機本体１の制御装置２は、複写機本体１全体の動作を制御する他、自動原稿搬送装置６との間で、複写と原稿搬送に関するタイミング信号等の授受を行う。メモリ３は、制御装置２に接続され、複写機本体１の動作に関するデータの他、自動原稿搬送装置６の非常停止時の状態のデータも記憶される。電源装置４は、複写機本体１内にのみ設けられて制御装置２に接続されており、自動原稿搬送装置６にも電源を供給する。安全スイッチ５は、制御装置２に接続されており、複写機本体１の点検用カバーが閉められているときはオンとされ、開けられているときはオフとされる。
【０００５】
自動原稿搬送装置６の制御装置７は、複写機本体１側の制御装置２との間で信号の授受を行い、例えば現在自動原稿搬送装置６が動作中であるか否かを示すデータなどを制御装置２に送出する。また、コピー原稿を搬送する給紙ローラ８、レジストロ−ラ９などの駆動を制御する。
【０００６】
そして、コピーを取るときには、閉じた自動原稿搬送装置６の原稿台上にコピー原稿がセットされ、または自動原稿搬送装置６を開いてコンタクトガラス上に直接コピー原稿がセットされ、複写機本体１の操作部に設けるコピースイッチを操作することにより、自動原稿搬送装置６の原稿台上にコピー原稿がセットされたときには、コピー原稿を搬送して読取り位置で原稿面を走査しながら原稿情報を読み取り、またコンタクトガラス上に直接コピー原稿がセットされたときには、直ちに原稿情報を読み取る。
【０００７】
【特許文献１】特許第２６３６０５５号公報
【発明の開示】
【発明が解決しようとする課題】
【０００８】
ところが、この種の画像形成装置にあっては、自動原稿搬送装置６を開閉すると、画像形成装置本体と自動原稿搬送装置とを電気接続する電気ケーブルが屈曲したりねじれたりし、画像形成装置本体や自動原稿搬送装置の外装カバーに押し当たって、開閉動作を繰り返すうちに疲労を生じて電気ケーブルがダメージを受ける問題があった。
【０００９】
そこで、この発明の第１の目的は、自動原稿搬送装置の開閉動作を繰り返しても、電気ケーブルがダメージを受けるおそれの少ない画像形成装置を提供することにある。
【００１０】
この発明の第２の目的は、自動原稿搬送装置の開閉動作にともなう電気ケーブルのねじれの発生を一層少なくして電気ケーブルのダメージをより低減した画像形成装置を提供することにある。
【課題を解決するための手段】
【００１１】
この発明による画像形成装置は、上述した第１の目的を達成すべく、
複写機本体等の画像形成装置本体に対して自動原稿搬送装置が支軸を中心として開閉自在に設けられ、それらの画像形成装置本体と自動原稿搬送装置とが電気ケーブルで電気接続される画像形成装置において、
電気ケーブルが、自動原稿搬送装置から引き出される位置と、画像形成装置本体に接続される位置とが、支軸と直交する同一直線上に設けられていることを特徴とする。
【００１２】
上述した第２の目的を達成すべく、画像形成装置本体もしくは自動原稿搬送装置またはそれらの双方に、電気ケーブルを保持して、自動原稿搬送装置から引き出される位置と画像形成装置本体に接続される位置との間の電気ケーブルが前記同一直線上から外れることを規制する規制手段が備えられているとよい。
【００１３】
同じく上述した第２の目的を達成すべく、規制手段には、支軸と平行な軸線まわりに回転する回転体が電気ケーブルに接触するように設けられているとよい。回転体は、両端の鍔部間に電気ケーブルを接触する鍔付きローラであるとよい。また、規制手段には、前記同一直線を通りかつ支軸と直交する面方向にたわむことができるばね性部材が設けられているとよい。
【発明の効果】
【００１４】
この発明による画像形成装置によれば、画像形成装置本体と自動原稿搬送装置とを電気接続する電気ケーブルが、自動原稿搬送装置から引き出される位置と、画像形成装置本体に接続される位置とが、支軸と直交する同一直線上に設けられているので、自動原稿搬送装置の開閉にともない、電気ケーブルが長さ方向にたわんだりたわみを解消したりするのみであり、自動原稿搬送装置を開閉しても、電気ケーブルが屈曲したりねじれたりすることがなく、自動原稿搬送装置の開閉動作を繰り返しても、電気ケーブルがダメージを受けるおそれの少ない画像形成装置を提供することができる。
【００１５】
このとき、画像形成装置本体もしくは自動原稿搬送装置またはそれらの双方に、電気ケーブルを保持して、自動原稿搬送装置から引き出される位置と画像形成装置本体に接続される位置との間の電気ケーブルが同一直線上から外れることを規制する規制手段が備えられていると、電気ケーブルに人が触れた場合にも、電気ケーブルを保持する規制手段により電気ケーブルが前記同一直線上から外れることを規制して、自動原稿搬送装置の開閉動作にともない、電気ケーブルが屈曲したりねじれたり、また画像形成装置本体や自動原稿搬送装置の外装カバーに当たったりそれらの外装カバー間に挟み込んだりすることを一層少なくし、電気ケーブルが受けるダメージをより低減した画像形成装置を提供することができる。
【００１６】
規制手段には、支軸と平行な軸線まわりに回転する回転体が電気ケーブルに接触するように設けられていると、自動原稿搬送装置の開閉にともない、電気ケーブルが長さ方向に移動されやすくなり、電気ケーブルが屈曲したりねじれたり、また画像形成装置本体や自動原稿搬送装置の外装カバーに当たったりそれらの外装カバー間に挟み込んだりすることを一層少なくし、電気ケーブルが受けるダメージをより低減した画像形成装置を提供することができる。
【００１７】
回転体が、両端の鍔部間に電気ケーブルを接触する鍔付きローラであると、電気ケーブルに人が触れた場合にも、ローラ両端の鍔部で、自動原稿搬送装置から引き出される位置と画像形成装置本体に接続される位置との間の電気ケーブルが前記同一直線上から外れることを規制して、自動原稿搬送装置の開閉動作にともない、電気ケーブルが屈曲したりねじれたり、また画像形成装置本体や自動原稿搬送装置の外装カバーに当たったりそれらの外装カバー間に挟み込んだりすることを確実に少なくし、電気ケーブルが受けるダメージをより低減した画像形成装置を提供することができる。
【００１８】
規制手段に、前記同一直線を通りかつ支軸と直交する面方向にたわむことができるばね性部材が設けられていると、自動原稿搬送装置の開閉動作にともない、電気ケーブルが長さ方向に移動されてたわみが変化したとしても、そのたわみの変化をばね性部材で吸収して電気ケーブルが屈曲したりねじれたりすることなく、自動原稿搬送装置の開閉動作を繰り返しても、電気ケーブルがダメージを受けるおそれの少ない画像形成装置を提供することができる。
【発明を実施するための最良の形態】
【００１９】
以下、図面を参照しつつ、この発明の実施の最良形態につき説明する。
図１には、この発明による画像形成装置の一例である複写機において、自動原稿搬送装置を開いた状態を示す。
【００２０】
図中符号１０は、画像形成装置本体である複写機本体であり、内部に作像装置、給紙装置、画像読取装置などが備えられている。複写機本体１０の上面には、面積の大きな矩形のコンタクトガラス１１が取り付けられるとともに、その左辺に沿って面積の小さな細長いスリットガラス１２が設けられている。また、コンタクトガラス１１の背面側には、２つの支持台１３、１３が間隔をあけて設置され、それらの支持台１３、１３により自動原稿搬送装置１４が支軸１５を中心として上下に開閉自在に備えられている。自動原稿搬送装置１４には、原稿台１６と排紙台１７とが上下に設けられている。
【００２１】
そして、コピー原稿が複数枚のシートなどの場合には、自動原稿搬送装置１４を閉じて原稿台１６上に積載してセットされ、複写機本体１０の不図示の操作部に設けるコピースイッチを操作することにより原稿が一枚ずつ送り出され、スリットガラス１２位置で搬送原稿の原稿面を走査して複写機本体１０の画像読取装置により画像情報が順に読み取られて後、排紙台１７上に排出される。
【００２２】
一方、コピー原稿がブック原稿などの場合には、自動原稿搬送装置１４を開いてコンタクトガラス１１上にセットされ、複写機本体１０の不図示の操作部に設けるコピースイッチを操作することにより複写機本体１０の画像読取装置の走行体を移動して静止原稿の原稿面を走査し、画像読取装置により画像情報が読み取られる。
【００２３】
そして、複写機本体１０内では、画像読取装置からの読取り信号に基づき、作像装置により、給紙装置から送られてくる記録媒体に画像が形成される。その後、画像記録済みの記録媒体が不図示の排紙スタック部上に排出される。
【００２４】
図２には、自動原稿搬送装置の背面側に設ける外装カバー内の構成を示す。
図中符号１６が上述した自動原稿搬送装置１４の原稿台であり、１７が排紙台である。それらの背面側には仕切り板２０が立てて設けられ、その仕切り板２０の後側が外装カバー２１で被われている。外装カバー２１内には、仕切り板２０に固着して２つの取付板２２が間隔をあけて設けられている。取付板２２は、コ字状に折り曲げられ、背面が仕切り板２０に固着されて二股となった先端で上述した支持台１３を挟み、その支持台１３に２つの支軸１５で回動自在に取り付けられている。２つの支軸１５は、同一軸線Ｌ上に設けられる。
【００２５】
また、２つの支持台１３、１３間には、原稿搬送用のモータ２３が設置されている。モータ２３は、外装カバー２１内で適宜支持される制御基板２４に接続される。制御基板２４には、コネクタ２５を用いて電気ケーブル２６の一端が接続されている。電気ケーブル２６は、外装カバー２１から引き出され、他端に取り付ける接続コネクタ２７を用いて複写機本体１０に接続される。そして、この電気ケーブル２６を介して自動原稿搬送装置１４と複写機本体１０とが電気接続され、複写機本体１０から自動原稿搬送装置１４に電源供給され、また複写機本体１０と自動原稿搬送装置１４との間で電気信号の授受が行われる。
【００２６】
外装カバー２１内には、規制手段３０が設けられている。規制手段３０は、ばね性部材３１と鍔付きローラ３２とからなる。ばね性部材３１は、細長い板ばね材を折り曲げて、取り付け部３３と、それから立ち上がる立ち上げ部３４と、取り付け部３３と平行に折り曲げた頂部３５と、その頂部３５の両側から垂れ下がる耳部３６とで形成されている。取付部３１は、取付ねじ３７により外装カバー２１内の底部にねじ止めされる。立ち上げ部３４には、電気ケーブル２６が挿通されるケーブル挿通孔３８があけられる。両耳部３６間には、摺動性のよい樹脂材料や耐摩耗性に優れた金属材料よりなる鍔付きローラ３２が回転自在に取り付けられる。
【００２７】
図３には、鍔付きローラが電気ケーブルに接触して設けられている状態を示す。
図示するように、回転体である鍔付きローラ３２は、両端の鍔部３９間に電気ケーブル２６が接触して支軸１５と平行な軸線Ｍまわりに回転するように設けられている。
【００２８】
図４には複写機の上部を右横から見て示し、図５には背面から見て示す。図６には、自動原稿搬送装置を開いた状態の複写機の上部を右横から見て示す。
外装カバー２１には、縦長な切欠き４０があけられており、その切欠き４０を通して電気ケーブル２６が引き出される。電気ケーブル２６が、切欠き４０を通して自動原稿搬送装置１４から引き出される位置Ａと、接続コネクタ２７を用いて複写機本体１０に接続される位置Ｂとが、支軸１５と直交する同一直線Ｎ上に設けられている。
【００２９】
このようにすると、自動原稿搬送装置１４の開閉にともない、電気ケーブル２６が長さ方向にたわんだりたわみを解消したりするのみであり、自動原稿搬送装置１４を開閉しても、電気ケーブル２６が横方向に屈曲したりねじれたりすることがなく、自動原稿搬送装置１４の開閉動作を繰り返しても、電気ケーブル２６がダメージを受けるおそれを少なくすることができる。
【００３０】
また、この例では、自動原稿搬送装置１４に規制手段３０が備えられ、その規制手段３０により電気ケーブル２６を保持して位置Ａから位置Ｂまでの電気ケーブル２６が前記同一直線Ｎ上から外れることが規制されている。そこで、電気ケーブル２６に人が触れた場合にも、規制手段３０により電気ケーブル２６が前記同一直線Ｎ上から外れることを規制して、自動原稿搬送装置１４の開閉動作にともない、電気ケーブル２６が屈曲したりねじれたり、また複写機本体１０や自動原稿搬送装置１４の外装カバーに当たったりそれらの外装カバー間に挟み込んだりすることを一層少なくし、電気ケーブル２６が受けるダメージをより低減することができる。
【００３１】
さらに、この例では、ばね性部材３１が、前記同一直線Ｎを通りかつ支軸１５と直交する面方向にたわむことができるように設けられている。これにより、自動原稿搬送装置１４の開閉動作にともない、電気ケーブル２６が長さ方向に移動されてたわみが変化したとしても、そのたわみの変化をばね性部材３１で吸収して電気ケーブル２６が屈曲したりねじれたりすることなく、自動原稿搬送装置１４の開閉動作を繰り返しても、電気ケーブル２６がダメージを受けるおそれを少なくすることができる。
【００３２】
図７には、この発明による画像形成装置の他例である複写機における自動原稿搬送装置の背面側に設ける外装カバー内の構成を示す。
上述した例では、自動原稿搬送装置１４に、電気ケーブル２６を保持してその電気ケーブル２６が前記同一直線Ｎ上から外れることが規制する規制手段３０を設けたが、図７に示すように複写機本体１０に規制手段３０が設けられるようにしてもよい。
【００３３】
例えば図示するように、規制手段３０を同様にばね性部材３１と鍔付きローラ３２とで構成し、ばね性部材３１が、細長い板ばね材を折り曲げて、ケーブル挿通孔３８があけられている立ち上げ部３４と、それから折り曲げた頂部３５と、その頂部３５の両側から垂れ下がる耳部３６とで形成されるようにする。
【００３４】
そして、両耳部３６間で鍔付きローラ３２を回転自在に支持し、その鍔付きローラ３２の両端の鍔部３９間に、外装カバー２１から引き出された電気ケーブル２６が接触して鍔付きローラ３２が支軸１５と平行な軸線Ｍまわりに回転するように設けられ、鍔付きローラ３２に接触後の電気ケーブル２６がケーブル挿通孔３８に貫挿されて、立ち上げ部３４の下端が取付ねじ３７により複写機本体１０にねじ止めされるようになっている。
【００３５】
規制手段３０は、自動原稿搬送装置１４と複写機本体１０の双方に備えるようにしてもよい。
【図面の簡単な説明】
【００３６】
【図１】この発明による画像形成装置の一例である複写機において、上部を、自動原稿搬送装置を開いた状態を示す斜視図である。
【図２】その自動原稿搬送装置の背面側に設ける外装カバー内の構成を示す斜視図である。
【図３】鍔付きローラが電気ケーブルに接触して設けられている状態を示す斜視図である。
【図４】その複写機の上部の右側面図である。
【図５】その背面図である。
【図６】自動原稿搬送装置を開いた状態の複写機の右側面図である。
【図７】この発明による画像形成装置の他例である複写機における自動原稿搬送装置の背面側に設ける外装カバー内の構成を示す斜視図である。
【図８】自動原稿搬送装置を備える複写機の制御ブロック図である。
【符号の説明】
【００３７】
１０    複写機本体（画像形成装置本体）
１１    コンタクトガラス
１２    スリットガラス
１３    支持台
１４    自動原稿搬送装置
１５    支軸
１６    原稿台
１７    排紙台
２０    仕切り板
２１    外装カバー
２２    取付板
２３    モータ
２４    制御基板
２５    コネクタ
２６    電気ケーブル
２７    接続コネクタ
３０    規制手段
３１    ばね性部材
３２    鍔付きローラ
３３    取り付け部
３４    立ち上げ部
３５    頂部
３６    耳部
３７    取付ねじ
３８    ケーブル挿通孔
３９    鍔部
４０    切欠き
Ａ    自動原稿搬送装置から引き出される位置
Ｂ    画像形成装置本体に接続される位置
Ｌ    支軸の軸線
Ｍ    支軸と平行な軸線
Ｎ    支軸と直交する同一軸線
【図１】
2008268712.tif 000003
【図２】
2008268712.tif 000004
【図３】
2008268712.tif 000005
【図４】
2008268712.tif 000006
【図５】
2008268712.tif 000007
【図６】
2008268712.tif 000008
【図７】
2008268712.tif 000009
【図８】
2008268712.tif 000010